(57)【要約】【課題】  従来のバックルは、ソケット本体にタングプレートを挿入した時、ソケット本体とタングプレート間にクリアランスがあり、装着時において上下方向に傾斜した時、故意に上側の操作片だけを押さえると、その操作片の係合突起が外れ、片利き状態になることが判明した。この状態は、故意でないとできないものであり、普通作業者が屈んでバックル上側を腹部で押さえたとしてもバックルカバーが操作片より突出しているため、操作片だけを押さえることは不可能に近いものである。自然な状況においては発生しないものであっても、この様な片利きの危険な状況が発生することは解決しなければならない課題である。【解決手段】  ソケット本体中央部に、タングプレート挿入方向に長溝を設けると共に、タングプレートの中央部に、長溝に対応嵌合する突出部を設け、前記長溝と突出部の嵌合により、タングプレートの操作片方向の傾斜を防止することで解決する。【選択図】        図１
2005073781.tif 000002
【特許請求の範囲】
【請求項１】
ベルト１の一端部に固定したソケット本体２と、他端部に設けソケット本体２に挿入係合するタングプレート３よりなり、ソケット本体２には、バネ５により常時外方向へ回動力が附勢され、タングプレート３との係合突起61を有するロック部材６を一対設け、該ロック部材６の上部に、進入してくるタングプレート３を押し出す方向のバネ７を配した当接材８と、該当接材８に重合したストッパー９を軸23で摺動自在に設けると共に、ロック部材６の係合突起61の先端部には、タングプレート３に設けた係合口33へ嵌入係合する重合片部62を外方向に設け、ソケット本体２とタングプレート３の係合を解く際には、タングプレート３を係合状態よりもさらに押し込み、重合片部62との係合を解いた上で、ケース10外両側へ突出したロック部材６の延長部が形成する両方の操作片63を外方向より内方向へ回動し係合突起61との係合を解きタングプレート３の解放を行う構造の安全帯用バックルにおいてソケット本体２に、タングプレート挿入方向に長溝26を設け、該タングプレート３に、長溝26に対応嵌合する突出部35を設け、タングプレート３を挿入した際には、長溝26に突出部35が嵌合し、タングプレート３の操作片63方向への傾斜を防止したことを特徴とする安全帯用バックル。
【発明の詳細な説明】
【技術分野】
【０００１】
本願は、高所作業者が墜落防止のために腰部に装着する安全帯のバックルに関するものであり、特に連結式のバックルの改良に関するものである。
【背景技術】
【０００２】
従来、本出願人が特開２００２−３１３号によって開示したものがある。
これは、所期の目的を達成し得たものであり、簡単な操作によって連結が可能なものであり、ワンタッチバックルと呼ばれている。
【特許文献１】特開２００２−３１３号公報
【発明の開示】
【発明が解決しようとする課題】
【０００３】
前記した従来のワンタッチバックルは、図７に示すように、ソケット本体にタングプレートを挿入した時、ソケット本体とタングプレート間にクリアランスがあり、装着時においてタングプレートが上下（操作片）方向に傾斜する。その時、故意にロック部材の上側の操作片だけを押さえると、その操作片の係合突起が外れ、片利き状態になることが判明した。この状態は、故意でないとできないものであり、普通作業者が屈んでバックル上側を腹部で押さえたとしてもバックルカバーが操作片より突出しているため、上側の操作片だけを押さえることは不可能に近いものである。自然な状況においては発生しないものであっても、このような片利きの危険な状況が発生することは、解決しなければならない課題である。  
【課題を解決するための手段】
【０００４】
よって本願では、タングプレートの中央部裏面に突出部を設け、該突出部がソケット本体に設けた長溝部に嵌合し、タングプレートの上下（操作片）方向の傾斜を防止するものである。
【発明の効果】
【０００５】
本願の構造のバックルを使用することにより、タングプレートが上下（操作片）方向に傾斜せず、操作片を押さえても外れることが無く、片利き状態にならない。
よって不本意にベルトの連結が解除されることがなく、墜落の発生が未然に防止できるものである。
【実施例】
【０００６】
本願の実施例を詳記すると、ベルト１の一端部に固定したソケット本体２と、他端部に設けソケット本体２に挿入係合するタングプレート３よりなり、ソケット本体２には、高張力鋼板より打抜き加工し、基端部に設けたベルト挿通孔21よりは細幅となり、先端部は両側より内側に向けコ字状に折り曲げ、中央部に所定間隔を開けて固定軸22を二本立設し、該固定軸22にバネ５により常時外方向へ回動力が附勢され、係合突起61を有するロック部材６を対象に一対設け、該ロック部材６の上部には、進入してくるタングプレート３の案内板25と、押し出す方向のバネ７を配した当接材８と、該当接材８に重合したストッパー９を軸23で摺動自在に設けると共に、ロック部材６の係合突起61の先端部には、タングプレート３に設けた係合口33の先端縁34へ嵌入係合する重合片部62を外方向に設け、ソケット本体２とタングプレート３の係合を解く際には、タングプレート３を係合状態よりもさらに押し込み、重合片部62との係合を解いた上で、ケース10外両側へ突出したロック部材６の延長部が形成する両方の操作片63を外方向より内方向へ回動し係合突起61との係合を解きタングプレート３の解放を行う構造を有した安全帯用バックルにおいてソケット本体２に、タングプレート挿入方向に長溝26を設け、該タングプレート３に、長溝26に対応嵌合する突出部35を設け、タングプレート３を挿入した際には、長溝26に突出部35が嵌合し、タングプレート３の操作片63方向の傾斜を防止した構造を有している。
【０００７】
タングプレート３は、同じく高張力鋼板より打抜き加工し、基端部に設けたベルト挿通孔31よりは細幅となり、先端部は両側より内側に向けコ字状に折り曲げ、対向する側壁32を設け、該側壁32，32に方形の係合口33を設けると共に、裏面側に凸状の突出部35を設けたものである。
【０００８】
以上の構成を樹脂性のカバー10で覆って錆の防止、小片の侵入による作動不良を防止する。ただし、ロック部材６の操作片63の移動するスリット、タングプレート挿入口４は開いており、また操作片63も両外側へ突出しているが、操作片63の移動個所のカバー10は抉られておりカバー10の両端より出るものではない。
【０００９】
図１は本願バックルの分解斜視図であり、組立順序は、ソケット本体２の軸23にスペーサー24を嵌入し、固定軸22にロック部材６を対象にして回動自在に嵌合する。次に、案内板25を同じく軸23，固定軸22に嵌入する。さらにバネ５を固定軸22に嵌入してバネ端をソケット本体枠とロック部材６のバネ当接片64とに当接配置する。そしてワッシャを固定軸22に嵌入しカシメる。次に、案内板25上にバネ７、当接材８、ストッパー９を順次配置し、軸23にワッシャを嵌入しカシメる。その後、カバー10を被せて本体にビス止めして組立完了となるものである。
【００１０】
本願ワンタッチバックルを使用するには、タングプレート３をタングプレート挿入口４より押し入れれば長溝26に突出部35が嵌合すると共に、当接材８が摺動  し、該当接材８に重合しているストッパー９も当接材８に押され後退し、ロック部材６の回動止めを兼用したバネ当接片64の当接が解除され、ロック部材６が回動し、係合突起61がタングプレート３の係合口33に嵌入係合するものであり、操作片63を外方向より内方向へ回動しようとしても重合片部62が側壁32に当接しているため、外れることはない。なお、タングプレート３を挿入していない状態ではロック部材６の回動止めを兼用したバネ当接片64とストッパー９が接触しており、ロック部材６の回動を防止するものである。この係合状態を解除するには、タングプレート３を当接材８の弾力に抗して重合片部62の長さ以上に押し込み、係合口33の先端縁34と重合片部62の係合が解かれた位置で、操作片63を内側へ押さえれば、タングプレート３の抜脱が可能となると共に、当接材８は、バネ７の附勢によって前進し、それと共にストッパー９も移動して、ストッパー９後部がロック部材６間に位置し、再びロック部材６の回動を防止するものである。
【図面の簡単な説明】
【００１１】
【図１】本願バックルの分解斜視図。
【図２】本願ソケット部とタングプレートの斜視図。
【図３】本願ソケット部とタングプレートの裏面斜視図。
【図４】本願バックルの斜視図。
【図５】本願ソケット部とタングプレートが結合したところの背面図。
【図６】従来バックルを用いた胴ベルトを装着したところの正面図。
【図７】従来バックルの片利き状態を表す一部切欠したところの正面図。
【符号の説明】
【００１２】
１  ベルト
２  ソケット本体
３  タングプレート
４  タングプレート挿入口
５  バネ
６  ロック部材
７  バネ
８  当接材
９  ストッパー
10  ケース
21  ベルト挿通孔
22  固定軸
23  軸
24  スペーサー
25  案内板
26  長溝
31  ベルト挿通孔
32  側壁
33  係合口
34  先端縁
35  突出部
61  係合突起
62  重合片部
63  操作片
64  バネ当接片
【図１】
2005073781.tif 000003
【図２】
2005073781.tif 000004
【図３】
2005073781.tif 000005
【図４】
2005073781.tif 000006
【図５】
2005073781.tif 000007
【図６】
2005073781.tif 000008
【図７】
2005073781.tif 000009